(57)【要約】【課題】耕耘作業および培土作業を良好に行うことができる管理機を提供することを課題とする。【解決手段】機体に回転自在に支持される車輪２０と、前記機体に装着される耕耘装置３０と、少なくとも一部（培土器４０Ａの前端）が車輪２０の車軸２１と耕耘装置３０の耕耘軸３１との間に位置するように配置される培土器４０Ａと、を具備する管理機１Ａとして、耕耘装置３０が上下方向へ移動する際、培土器４０Ａの少なくとも一部が同一方向へ移動するように構成する。【選択図】図１
2011139639.tif 000002
【特許請求の範囲】
【請求項１】
機体に回転自在に支持される車輪と、
前記機体に装着される耕耘装置と、
少なくとも一部が前記車輪の車軸と前記耕耘装置の耕耘軸との間に位置するように配置される培土器と、を具備する管理機。
【請求項２】
前記培土器は、前記車軸に設けられる、請求項１に記載の管理機。
【請求項３】
前記培土器は、前記車軸回りに回転して、畝を形成する作業位置と、畝を形成しない非作業位置と、に配置変更可能に構成される、請求項２に記載の管理機。
【請求項４】
前記培土器に固定されるとともに前記車軸回りに回転可能に構成されて、前記車輪の外周の一部を覆うように配置されるフェンダを具備する、請求項３に記載の管理機。
【発明の詳細な説明】
【技術分野】
【０００１】
本発明は、培土器を具備する管理機に関する。
【背景技術】
【０００２】
従来、機体に回転自在に支持される車輪と、車輪の前方に配置されて機体に装着される耕耘装置と、車輪の後方に配置される培土器と、を具備し、耕耘後の土壌を培土器によって培土する管理機は公知となっている。例えば特許文献１に示す如くである。
【０００３】
このような管理機においては、耕耘装置の前方に配置した耕深調節輪（補助輪）の高さを調節することによって、耕耘装置の車輪に対する上下位置を変更し、耕深を調節する。この構成では、耕耘装置の上下位置を変更する際、培土器が耕耘装置に対して車輪を中心として上下反対方向に移動するため、耕耘装置を下げて耕深を深くする場合には培土器が上がって培土が意に反して浅くなったり、培土器を下げて培土を深くする場合には耕耘装置が上がって耕深が意に反して浅くなったりするという問題がある。そこで、前記管理機は、培土器を弾性部材（バネ）によって下方へ付勢し、培土器が耕耘装置に対して車輪を中心として上下反対方向に移動することを抑えるようにしている。
【先行技術文献】
【特許文献】
【０００４】
【特許文献１】特開２００６−２０５６４号公報
【発明の概要】
【発明が解決しようとする課題】
【０００５】
しかしながらこのような管理機においては、耕耘装置を下げて耕深を深くする場合、培土器は上昇しようとするが、弾性部材の付勢力により下方へ付勢される。つまり、この際には培土器は耕耘装置と同一方向へ移動する。一方、耕耘装置を上げて耕深を浅くする場合、培土器は下降し、その下降途中で地面に接してその上下位置で保持される。この際、培土器は、その上下位置にかかわらず弾性部材により常時一定の付勢力で下方へ付勢されていることから、地面から浮き上がりやすくなる。この浮き上がりにより耕耘装置が下降するため、調節した耕深を維持しにくくなるという問題があった。
【０００６】
本発明は以上のような状況に鑑みてなされたものであり、耕耘作業および培土作業を良好に行うことができる管理機を提供することを課題とする。
【課題を解決するための手段】
【０００７】
本発明の解決しようとする課題は以上の如くであり、次にこの課題を解決するための手段を説明する。
【０００８】
即ち、請求項１においては、機体に回転自在に支持される車輪と、前記機体に装着される耕耘装置と、少なくとも一部が前記車輪の車軸と前記耕耘装置の耕耘軸との間に位置するように配置される培土器と、を具備する管理機とするものである。
【０００９】
請求項２においては、前記培土器は、前記車軸に設けられるものである。
【００１０】
請求項３においては、前記培土器は、前記車軸回りに回転して、畝を形成する作業位置と、畝を形成しない非作業位置と、に配置変更可能に構成されるものである。
【００１１】
請求項４においては、前記培土器に固定されるとともに前記車軸回りに回転可能に構成されて、前記車輪の外周の一部を覆うように配置されるフェンダを具備するものである。
【発明の効果】
【００１２】
本発明の効果として、以下に示すような効果を奏する。
【００１３】
即ち、請求項１においては、機体に回転自在に支持される車輪と、前記機体に装着される耕耘装置と、少なくとも一部が前記車輪の車軸と前記耕耘装置の耕耘軸との間に位置するように配置される培土器とを具備するため、耕耘装置が上下方向へ移動する際、培土器が耕耘装置と上下反対方向ではなく、同一方向に移動することになる。したがって、耕耘装置を上げて耕深を浅くする場合でも、調節した耕深を維持しやすくなり、耕耘作業と培土作業とを良好に行うことができる。
【００１４】
請求項２においては、培土器を機体側に装着するための構造を簡易にして、装着のために必要なコストを低減化することができる。
【００１５】
請求項３においては、培土器を機体側から外すことなく、培土器の位置を作業位置または非作業位置に変更することが可能となる。したがって、培土器の配置変更を容易に行うことができ、耕耘作業および培土作業時の作業性を向上させることができる。
【００１６】
請求項４においては、作業者から手の届きやすいフェンダを用いて、培土器の位置を作業位置または非作業位置に変更することが可能となる。したがって、培土器の配置変更をより容易に行うことができ、耕耘作業および培土作業時の作業性を向上させることができる。また、フェンダと培土器が一体的に構成されるため、これらの支持構成を共通化でき、部品点数を削減してコスト低減化を図れる。
【図面の簡単な説明】
【００１７】
【図１】本発明の第一実施形態に係る管理機を示した全体側面図。
【図２】本発明の第一実施形態に係る管理機の拡大側面図。
【図３】本発明の第一実施形態に係る管理機の拡大背面図。
【図４】本発明の第一実施形態に係る管理機の拡大側面図。
【図５】（ａ）本発明の第一実施形態に係る管理機の固定手段の拡大側面図、（ｂ）本発明の第一実施形態に係る管理機の固定手段の拡大正面図。
【図６】本発明の第二実施形態に係る管理機の拡大側面図。
【図７】本発明の第二実施形態に係る管理機の拡大背面図。
【図８】本発明の第二実施形態に係る管理機の拡大側面図。
【図９】本発明に係る管理機の別実施例を示した拡大側面図。
【図１０】本発明に係る管理機の別実施例を示した拡大背面図。
【発明を実施するための形態】
【００１８】
以下、本発明の実施の形態について説明する。
【００１９】
本発明の第一実施形態に係る管理機１Ａについて、図１から図５を用いて説明する。
【００２０】
図１に示すように、管理機１Ａは、エンジン１０と、トランスミッションと、左右一対の車輪２０・２０と、土壌を耕耘する装置である耕耘装置３０と、耕耘装置３０による耕耘後の土壌を培土して畝を形成するための培土器４０Ａと、を具備する。
【００２１】
エンジン１０は、駆動源となり、トランスミッションのミッションケース１２の上部より前方に突設したエンジンフレーム２５上に載置固定される。エンジン１０からの動力は、伝動ケース１１内のプーリ、ベルトを介してミッションケース１２内の動力伝達機構に伝達され、さらに、トランスミッションで変速された後に車軸２１及び耕耘装置３０へ伝達可能とされる。
【００２２】
車輪２０は、車軸２１に固定され、機体の後下方に配置される。車軸２１は、ミッションケース１２の後下部に支持され、左右側方に突出される。
ミッションケース１２の後部上にはハンドル台１４が設けられる。ハンドル台１４には、作業者が持って操作するためのハンドル１５が上下方向へ回動可能に取り付けられる。このハンドル１５は、斜め後上方に突出するように配置される。ハンドル１５の後部には、主クラッチレバーやアクセルレバーや作業クラッチレバー等が配置される。ハンドル１５下方には、変速レバー１６が設けられる。この変速レバー１６は、ミッションケース１２から斜め後上方に突出するように配置される。
【００２３】
耕耘装置３０は、車輪２０の前方に配置される。耕耘装置３０は、耕耘軸３１、耕耘爪３２、ロータリカバー１７、補助輪１３等を備える。耕耘軸３１は、ミッションケース１２から前下方に延設された耕耘ケース部１２ａの下部に支持され、左右側方に突出される。耕耘軸３１上には耕耘爪３２・３２・・が植設される。エンジン１０からの動力が耕耘軸３１に伝達され、これにより耕耘爪３２・３２・・が回転駆動される。
ロータリカバー１７は、耕耘爪３２・３２・・・の一部を上方から覆うものである。ロータリカバー１７は、その上面を耕耘爪３２・３２・・・先端の回転軌跡に沿って形成し、エンジンフレーム２５及びミッションケース１２に固定される。
補助輪１３は、路上走行時に耕耘装置３０を地面より浮かせて容易に走行できるようにしたり、耕深を調節したりするためのものである。補助輪１３は耕耘装置３０の前方に配置される。補助輪１３を回転自在に支持する支持杆の上部は、ロータリカバー１７の左右中央部に上下調節可能に支持される。
【００２４】
前記ロータリカバー１７の後部には、培土器４０Ａを作業位置に配置したときに固定するための固定部１８が配設される。
固定部１８は、平板状の部材を車軸２１を中心とした円弧状に湾曲して形成され、ロータリカバー１７の後端下部に上下方向に固定される。固定部１８には、複数のピン孔１８ａ・１８ａ・・・が上下方向に所定間隔をあけて開口されている。各ピン孔１８ａに後述する培土器４０Ａの前上部に設けた固定ピン５１が貫入可能に構成されている。
【００２５】
培土器４０Ａは、耕耘装置３０のすぐ後ろであって左右の車輪２０・２０の間付近に配置される。培土器４０Ａは、所謂、外盛り用の培土器であり、図２または図３に示すように、培土板４１と取付用のアーム４２・４２を有する。培土板４１は、平板状の部材が平面視略Ｖ字状に折り曲げられ、且つ、後上方に行くに従って左右外側に広がるような形状に形成される。
また、培土器４０Ａは、作業位置にある場合、車軸２１と耕耘軸３１との間に位置するとともに、前記折り曲げ側が前方を向くように、且つ、開放側が後方を向くように配置される。
このようにして、培土器４０Ａは、少なくともその一部（本実施形態においては全部）が車輪２０の車軸２１と耕耘装置３０の耕耘軸３１との間に位置するように配置される。
ここで、作業位置とは、耕耘後の土壌を培土して所定の畝を形成することができる培土器４０Ａの位置を示す。即ち、作業位置とは、補助輪１３が上げられて耕耘装置３０の耕耘爪３２が土壌を耕耘しながら前進する際に、培土器４０Ａが当該耕耘土壌を両側へ押して培土する位置をいう。作業者が培土作業を行う場合、培土器４０Ａは作業位置に配置変更される。
【００２６】
アーム４２・４２は、培土器４０Ａを車軸２１に取り付けるためのものである。
アーム４２・４２の一端は、培土板４１の内側の前下部に固定される。
アーム４２・４２は、培土板４１から後上方へ延出される。このアーム４２・４２の延出端（他端）に軸支部４２ａ・４２ａが設けられる。軸支部４２ａ・４２ａは車軸２１に回転自在に外嵌され取り付けられる。詳細には、軸支部４２ａは、リング状に形成されて、これに車軸２１が貫入されることによって、車軸２１回りに回転可能に車軸２１に取り付けられる。
【００２７】
このようにして、培土板４１は、アーム４２・４２を介して車軸２１に回転可能に取り付けられる。つまり、培土器４０Ａが車軸２１回りに回転可能に構成される。
そして、培土器４０Ａは、図４に示すように、非作業位置においては、これを車軸２１回りに回転させて、前記折り曲げ側が下方を、開放側が後方を向くように配置される。
ここで、非作業位置とは、耕耘後の土壌を培土せず畝を形成しない培土器４０Ａの位置を示す。作業者が培土作業を行わない場合、培土器４０Ａは非作業位置に配置変更される。
このようにして、培土器４０Ａは、車軸２１回りに前方へ回転して、耕耘後の土壌を培土して畝を形成する作業位置と、この作業位置から車軸２１回りに後方へ回転して、耕耘後の土壌を培土せず畝を形成しない非作業位置と、に配置変更可能に構成される。
【００２８】
また、管理機１Ａは、図２、図３または図５に示すように、固定手段５０・６０を具備する。固定手段５０は、培土器４０Ａが作業位置にある場合に車軸２１回りに回転することを防止して、培土器４０Ａを作業位置で所望の高さ（深さ）位置に保持するための手段である。固定手段６０は、培土器４０Ａが非作業位置にある場合に車軸２１回りに回転することを防止して、培土器４０Ａを非作業位置に保持するための手段である。
【００２９】
固定手段５０は、固定部１８に形成されるピン孔１８ａ・１８ａ・・・と固定ピン５１と付勢バネ５３とによって構成される（図５（ａ）参照）。
固定ピン５１は、培土板４１の前上部に設けた支持板１９に貫設される。固定ピン５１は、支持板１９に前後方向に摺動自在に設けられ、付勢バネ５３により前方へ突出するように付勢されている。付勢バネ５３は、固定ピン５１に外嵌されて、その後端を固定ピン５１に固定するとともに、その前端を支持板１９に係合する。
一方、前記固定部１８に前後方向に開口された複数のピン孔１８ａ・１８ａ・・・は、前記固定ピン５１と一致可能なように配設される。
【００３０】
このような構成において、培土器４０Ａにより培土作業を行う場合には、培土器４０Ａを前方へ車軸２１回りに回転させて、所望の高さ（深さ）位置に達したとき、固定部１８の複数のピン孔１８ａ・１８ａ・・・のうち、その高さ位置に対応するピン孔１８ａに固定ピン５１を貫入する。これにより、培土器４０Ａがロータリカバー１７（機体）に対して固定される。その結果、培土器４０Ａは、車軸２１回りに後方へ回転することを防止されて、作業位置で所望の高さ（深さ）位置に保持される。
【００３１】
固定手段６０は、前記アーム４２の軸支部４２ａから突設された固定杆６１と、固定杆６１に取り付けられた固定ピン６２と、ミッションケース１２の側面に設けられた固定部６３と、付勢バネ６４とからなる（図５（ｂ）参照）。
固定杆６１は軸支部４２ａからその半径方向に突設される。固定杆６１の突出端部には、固定ピン６２を取り付けるためのピン孔が左右方向に開口される。
固定ピン６２は、固定杆６１のピン孔に機体外側から機体左右中央側へ水平方向に貫入され、付勢バネ６４により機体左右中央側へ突出するように付勢されている。付勢バネ６４は、固定ピン６２に外嵌されて、その一端を固定ピン６２に固定するとともに、その他端を固定杆６１に係合する。
固定部６３は、ミッションケース１２の側面に形成される。固定部６３にはピン孔が穿設される。このピン孔は固定ピン６２を貫入可能に構成している。
【００３２】
このような構成において、培土器４０Ａにより培土作業を行わない場合、即ち通常の耕耘作業のみを行う場合または路上走行を行う場合には、培土器４０Ａを車軸２１回りに後方へ回転させて、固定ピン６２と固定部６３の位置を合わせて、固定ピン６２を固定部６３のピン孔に貫入する。これにより、培土器４０Ａが、車軸２１の後方に位置して地上よりも浮いた状態でミッションケース１２（機体）に対して固定される。その結果、培土器４０Ａは、車軸２１回りに前方へ回転することを防止されて、非作業位置に保持される。
【００３３】
以上のように、管理機１Ａは、少なくともその一部が車輪２０の車軸２１と耕耘装置３０の耕耘軸３１との間に位置するように配置される培土器４０Ａを具備する。
したがって、車輪２０を中心として天秤のように作用することなく、耕耘装置３０の深さ調節に対して培土器４０Ａが反対方向に回動することはなく、耕耘作業と培土作業とを良好に行うことができる。また、従来のような培土器がハンドルの下方に配置される管理機においては、作業者がハンドルを操作ながら歩く際に培土器が歩行の邪魔になっていたが、管理機１Ａにおいては、培土器４０Ａがハンドル１５の下方に配置されないため、耕耘装置３０と車軸２１と左右の車輪２０の間の空間を有効に利用することができ、ハンドル１５下方の空間を広くすることができ、培土器４０Ａが歩行の邪魔にならない。
【００３４】
また、管理機１Ａでは、培土器４０Ａは車軸２１に設けられる。
したがって、培土器４０Ａを装着するための構造を簡易にでき、装着のためのコストを低減化できる。
【００３５】
培土器４０Ａは、培土板４１やアーム４２・４２などから構成され、培土板４１をアーム４２・４２を介して車軸２１に支持することによって、機体に取り付けられる。すなわち、アーム４２・４２の一端（前端）は、それぞれ培土板４１における前端の内側に固定される。アーム４２・４２の他端（後端）は、それぞれ左右の車軸２１に取り付けられる。
したがって、管理機１Ａにおいては、培土器４０Ａの機体への取付構造を簡易な構造で実現することができる。
【００３６】
管理機１Ａでは、培土器４０Ａは、車軸２１回りに回転して作業位置と非作業位置とに配置変更可能に構成される。
したがって、管理機１Ａによれば、作業位置と非作業位置との配置変更は、培土器４０Ａを外すことなく、前後に回転させるだけなので、当該配置変更を容易に行うことができる。
【００３７】
管理機１Ａは、固定手段５０を具備する。この固定手段５０は、培土器４０Ａが作業位置にある場合に車軸２１回りに回転することを防止して、培土器４０Ａを作業位置で所望の高さ（深さ）位置に保持するための手段である。
したがって、管理機１Ａでは、従来の管理機のように弾性部材の付勢力によらずに、培土器４０Ａへの荷重を管理機１Ａの作業者によって制御することができ、培土器４０Ａによる培土の深さ調節を容易に行うことが可能となる。
【００３８】
管理機１Ａは、固定手段６０を具備する。この固定手段６０は、培土器４０Ａが非作業位置にある場合に車軸２１回りに回転することを防止して、培土器４０Ａを非作業位置に保持するための手段である。
したがって、管理機１Ａでは、培土器４０Ａを非作業位置に変更配置することにより、培土器４０Ａを車軸２１の後方に位置させ、地上よりも浮いた状態で固定することが可能となる。よって、管理機１Ａでは、非作業位置の培土器４０Ａを固定した状態で機体を走行させることができるため、培土作業時以外の走行を円滑に行うことができる。
【００３９】
固定手段５０は、固定ピン５１を固定部１８に設けたピン孔１８ａに貫入させることにより、培土器４０Ａが車軸２１回り（後方）に回転することを防止して、培土器４０Ａを作業位置に保持する。
固定手段６０は、固定ピン６２を固定部６３のピン孔に貫入させることにより、培土器４０Ａが車軸２１回り（前方）に回転することを防止して、培土器４０Ａを非作業位置に保持する。
したがって、管理機１Ａによれば、培土器４０Ａを所定の位置に固定する構造を簡易な構造で実現することができる。
【００４０】
さらに、管理機１Ａでは、固定ピン５１と固定ピン６２の操作により、培土器４０Ａを機体に対して簡単に固定または固定解除して、培土器４０Ａの作業位置と非作業位置との配置変更を容易に行うことができる。
【００４１】
次に、本発明の第二実施形態に係る管理機１Ｂについて、図６から図８を用いて説明する。なお、第二実施形態に係る管理機１Ｂは、第一実施形態に係る管理機１Ａと同様の構成を有する部分があるため、管理機１Ｂの説明は、管理機１Ａと同様の構成の部分については適宜省略し、管理機１Ａと異なる部分を中心に説明する。
【００４２】
管理機１Ｂは、図６または図７に示すように、機体に車輪２０・２０の外周の一部を覆うように配設されるフェンダ７０・７０を具備する。
【００４３】
フェンダ７０は、側面視において略６０度に広がる扇状に形成される（図６参照）。
フェンダ７０は、その外周端部が車輪２０の外周端部よりも当該車輪２０の径方向外側に位置するように、軸支部４２ａから扇形状に広がる構成とされて、最外部で車輪２０のタイヤの一部を覆うように形成される（図７参照）。
【００４４】
また、管理機１Ｂは、図６または図７に示すように、固定手段５０・６０に代えて、固定手段８０を具備する。固定手段８０は、培土器４０Ａを作業位置または非作業位置に保持するための手段である。
固定手段８０は、フェンダ７０（または軸支部４２ａ）に形成されるピン孔８４・８４・・・と、ミッションケース１２に固定される固定板８３と、両者を固定する固定ピン８５と、付勢バネ８６とによって構成される。
【００４５】
ピン孔８４・８４・・・は、フェンダ７０におけるミッションケース１２と車輪２０との間の部分に、軸支部４２ａの外周に沿って所定間隔をあけて複数左右水平方向に開口される。
ミッションケース１２の左右両側の車軸２１近傍には固定板８３・８３が固設される。左右の各固定板８３には、外側（ピン孔８４側）に向かって案内部が延設される。この案内部に前記ピン孔８４の位置に合わせて左右水平方向に開口するピン孔が設けられる。そして、固定ピン８５が当該ピン孔に摺動自在に貫入可能とされる。
固定ピン８５は、固定板８３のピン孔に機体左右中央側から外側へ水平方向に貫入され、付勢バネ８６により前記外側へ突出するように付勢されている。付勢バネ８６は、固定ピン８５に外嵌されて、その一端を固定ピン８５に固定するとともに、その他端を固定板８３に係合する。
【００４６】
そして、フェンダ７０が車軸２１回りに回動されて後ろ寄りに配置されて、培土器４０Ａが作業位置にある場合、例えば、図６および図７に示すように、培土器４０Ａを所望の高さの位置に達したとき、軸支部４２ａの非作業位置用のピン孔８４を除いた、いずれかのピン孔８４に固定板８３に設けた固定ピン８５を貫入する。これにより、培土器４０Ａがフェンダ７０を介してミッションケース１２（機体）に対して固定される。その結果、培土器４０Ａは、車軸２１回りに後方へ回転することを防止されて、作業位置で所望の高さ（深さ）位置に保持される。
【００４７】
また、培土器４０Ａの非作業時においては、図７に示すように、培土器４０Ａおよびフェンダ７０を逆時計回りに回転させて、当該周方向で最も後ろにある上方のピン孔８４に固定ピン８５を貫入させる。
【００４８】
また、管理機１Ｂでは、固定ピン８５をピン孔８４から抜くことにより、作業位置または非作業位置に培土器４０Ａが固定されている状態を解除することができる。
【００４９】
以上のように、管理機１Ｂは、培土器４０Ａに固定されるとともに車軸２１回りに回転可能に構成されて、車輪２０の外周の一部を覆うように配置されるフェンダ７０を具備する。
このため、作業者によってフェンダ７０を回転させた場合においても、培土器４０Ａが車軸２１回りに回転して、作業位置と非作業位置とに培土器４０Ａの配置変更が可能となる。
したがって、管理機１Ｂによれば、作業位置と非作業位置との配置変更をより容易に行うことができる。また、フェンダ７０と培土器４０Ａが一体的に構成されるため、支持構成を共通化でき、部品点数を削減してコスト低減化を図れる。
【００５０】
管理機１Ｂは、培土器４０Ａを作業位置または非作業位置に保持するための固定手段８０を具備する。
したがって、管理機１Ｂでは、従来の管理機のように弾性部材の付勢力によらずに、培土器４０Ａへの荷重を管理機１Ｂの作業者によって制御することができ、培土器４０Ａによる培土の深さ調節を容易に行うことが可能となる。また、管理機１Ｂでは、非作業位置の培土器４０Ａを固定した状態で機体を走行させることができるため、培土作業時以外の走行を円滑に行うことができる。
【００５１】
固定手段８０は、固定ピン８５を内側から外側に向けてピン孔８４に貫入させることにより、培土器４０Ａが車軸２１回りに回転することを防止して、培土器４０Ａを作業位置または非作業位置に保持する。
したがって、管理機１Ｂによれば、培土器４０Ａを所定の位置に固定する構造を簡易な構造で実現することができる。
【００５２】
また、管理機１Ｂでは、固定ピン８５をピン孔８４から抜くことにより、培土器４０Ａのミッションケース１２に対する固定状態を解除して、培土器４０Ａの位置を作業位置または非作業位置から非作業位置または作業位置に配置変更することが可能となる。
したがって、管理機１Ｂでは、作業位置または非作業位置に保持された培土器４０Ａの固定状態の解除を容易に行うことができ、ひいては、培土器４０Ａを作業位置と非作業位置との配置変更を容易に行うことができる。
【００５３】
さらに、固定手段８０では、複数個形成されるピン孔８４のうち所望の一つを選択してこれに固定ピン８５を貫入することで、培土器４０Ａによる倍土深さを容易に調節することができる。
【００５４】
なお、本発明に係る管理機の培土器は、外盛り用の培土器４０Ａであることに限定されず、図９または図１０に示すように、所謂、内盛り用の培土器４０Ｂであっても良いものとする。
内盛り用の培土器４０Ｂは、耕耘装置３０のすぐ後ろであって左右の車輪２０・２０の間付近に配置される。そして、培土器４０Ｂは、少なくともその一部が車輪２０の車軸２１と耕耘装置３０の耕耘軸３１との間に位置するように配置される。
培土器４０Ｂは、左右の培土板４３ａ・４３ｂと取付用のアーム４５・４５を有する。なお以下において、培土板４３ｂは、培土板４３ａと左右対称に構成されて培土板４３ｂと左右対称となるように配置されるため、培土板４３ｂの説明は省略する。
【００５５】
培土板４３ａは、平板状の部材であって、その長手方向が前後方向となるように、且つ、上方が内側に（下方が外側に）傾けられて配置される。
培土板４３ａにおける前後方向略中央部の外側上部には、取付部４４が設けられる。
【００５６】
そして、培土板４３ａは、アーム４５を介して車軸２１に取り付けられる。
アーム４５の一端は、当該車軸２１から車軸２１と耕耘軸３１との間（前下方に向かって）に延出して、培土器４０Ｂにおける培土板４３ａの取付部４４に固定される。
アーム４５・４５は、培土板４３ａから後上方へ延設される。このアーム４５・４５の延出端（他端）に軸支部４５ａ・４５ａが設けられる。該軸支部４５ａ・４５ａは車軸２１に回転自在に外嵌され取り付けられる。詳細には、軸支部４５ａは、リング状に形成されて、これに車軸２１が貫入されることによって、車軸２１回りに回転可能に車軸２１に取り付けられる。
【００５７】
このようにして、培土板４３ａは、アーム４５・４５を介して車軸２１に回転可能に取り付けられる。つまり、培土器４０Ｂが車軸２１回りに回転可能に構成される。
また、培土板４３ａはフェンダ７０と一体的に構成することも可能である。この場合、培土器４０Ｂの前上部とフェンダ７０の前下部が一体的に連結される。固定手段は前記と略同じ構成とすることで、培土器４０Ｂを作業位置または非作業位置に保持することができ、培土器４０Ｂの位置を作業位置と非作業位置に容易に変更することが可能となる。
【符号の説明】
【００５８】
１Ａ・１Ｂ  管理機
２０  車輪
２１  車軸
３０  耕耘装置
３１  耕耘軸
４０Ａ・４０Ｂ  培土器
【図１】
2011139639.tif 000003
【図２】
2011139639.tif 000004
【図３】
2011139639.tif 000005
【図４】
2011139639.tif 000006
【図５】
2011139639.tif 000007
【図６】
2011139639.tif 000008
【図７】
2011139639.tif 000009
【図８】
2011139639.tif 000010
【図９】
2011139639.tif 000011
【図１０】
2011139639.tif 000012